(57)【要約】      （修正有）【課題】事務所、更衣室、休憩所等として利用できる空間を有するとともに、移動が可能な自動車を提供する。【解決手段】車体本体部２と、該車体本体部２に設けられて、運転席３を有する運転部４と、車体本体部２に設けられて、作業等を行う空間を有する作業等部５を有し、運転部４内と作業等部５の空間内は相互に連通せず、車体本体部２と作業等部５を一体に形成した。【選択図】図１
0003226191.tif 000002
【実用新案登録請求の範囲】
【請求項１】
車体本体部と、該車体本体部に設けられて、運転席を有する運転部と、前記車体本体部に設けられて、作業等を行う空間を有する作業等部を有し、
前記運転部内と前記作業等部の空間内は相互に連通せず、
前記車体本体部と前記作業等部を一体に形成したことを特徴とする自動車。
【請求項２】
前記作業等部の空間内に設けた机等を、前記作業等部に対し固定したことを特徴とする請求項１記載の自動車。
【考案の詳細な説明】
【技術分野】
【０００１】
本考案は、自動車に関するものである。
【背景技術】
【０００２】
従来、建設現場などにおいて、仮設ハウスを地表に組み立てて設置し、その仮設ハウス内を、臨時の事務所や、更衣室、休憩所等として使用している。
【考案の概要】
【考案が解決しようとする課題】
【０００３】
しかし、上記仮設ハウスは、これを組み立てて設置する作業や、解体撤去する作業に手間や、時間がかかるという問題がある。
【０００４】
そこで、本考案は、事務所、更衣室、休憩所等として利用できる空間を有するとともに、移動が可能な自動車を提供することを目的とするものである。
【課題を解決するための手段】
【０００５】
前記の課題を解決するために、請求項１記載の考案は、車体本体部と、該車体本体部に設けられて、運転席を有する運転部と、前記車体本体部に設けられて、作業等を行う空間を有する作業等部を有し、
前記運転部内と前記作業等部の空間内は相互に連通せず、
前記車体本体部と前記作業等部を一体に形成したことを特徴とするものである。
【０００６】
前記作業等部の空間内に設けた机等を、前記作業等部に対し固定してもよい。
【考案の効果】
【０００７】
本考案の自動車によれば、運転席を有する運転部と、作業等を行う空間を有する作業等部を有し、運転部内と作業等部の空間内は相互に連通しないことにより、地震や洪水等の災害により建物が使用できなくなった場合に、本考案の自動車を所定の場所に移動させ、作業等部の空間を、直ぐに臨時の事務所として使用することができ、従来の仮設ハウスのような組立設置作業や解体撤去作業が不要となる。
【図面の簡単な説明】
【０００８】
【図１】本考案の実施例に係る自動車を前側から見た斜視図。
【図２】図１の自動車を後側から見た斜視図。
【図３】図１の自動車において、右側面に対し昇降階段を取り付けた状態の斜視図。
【図４】図１の自動車において、後面に対し昇降階段を取り付けた状態の斜視図。
【図５】本考案の実施例における作業等部内を、その後方から前方を見た図。
【図６】本考案の実施例における作業等部内を、その前方から後方を見た図。
【考案を実施するための形態】
【０００９】
本考案を実施するための形態を図に基づいて説明する。
【００１０】
［実施例１］
図１は、本考案の実施例に係る自動車１の前側から見た斜視図、図２は自動車１の後側から見た斜視図である。
【００１１】
自動車１は、自動車１を任意の場所へ移動させることができるエンジン、車輪、トランスミッション等の移動手段等を備えた車体本体部２を有する。
【００１２】
車体本体部２の前方には、運転手が搭乗し自動車１の運転操作を行う運転席３を備えた運転部４を有し、運転部４の後方には、内部において作業、着替え、休憩等を行うことができる空間５ａを備えた作業等部５が設けられている。
【００１３】
車体本体部２と作業等部５は一体に形成されている。また、運転部４内と、作業等部５の空間５ａ内は相互に連通していない。
【００１４】
作業等部５の形状は任意に形成でき、本実施例では、図１，図２に示すように、前後方向に長い直方体形状に形成した。
【００１５】
作業等部５は、左右一方の側面である右側面５ｂに、開閉可能な側部開閉扉６が設けられ、後面５ｃに、開閉可能な後部開閉扉７が設けられている。なお、この開閉扉６，７の設置位置と数は任意に設定することができる。
【００１６】
図３に示すように、側部開閉扉６を開けた状態で、右側面５ｂに対し昇降階段１０を取り外し可能に取り付けることができるようになっている。また、図４に示すように、後面５ｃに対し後部開閉扉７を開けた状態で、後部に昇降階段１１を取り外し可能に取り付けることができるようになっている。昇降階段１０，１１が、不要な場合には、これらを、例えば図５に示すように、作業等部５の空間５ａ内に収納できるようになっている。なお、昇降階段１０，１１が、不要な場合には、作業等部５の下方など任意の場所に収納できるようにしてもよい。
【００１７】
作業等部５の空間５ａ内には、図５，図６に示すように、机１２や固定椅子１３等の移動が不要な物品は、床１５等にボルト１６等の固定具により固定されている。なお、可動椅子１７は床１５に固定されていない。
【００１８】
作業等部５における空間５ａ内のレイアウトは、図５，図６に示すものに限定されず、空間５ａを使用する用途等により、任意に設定することができる。
【００１９】
作業等部５の空間５ａ内には、照明具２０や、エアコン２１などの電気機器が設けられ、これらの電気機器には、作業等部５の天井外面に設けた太陽光パネル（図示しない）、発電機、自動車１の外部電源等から電気が供給されるようになっている。
【００２０】
作業等部５の空間５ａの後部には、図４に示すように、上方に備え付けた貯留部（図示しない）に蓄えられた水を利用して、手洗い等を行う手洗器２３が備えられている。
【００２１】
本考案の自動車１は、上記の構造、構成を有することにより、以下の作用、効果を奏する。
【００２２】
地震や洪水等の災害により建物が使用できなくなった場合に、本考案の自動車１を安全な場所に移動させ、作業等部５の空間５ａを、直ちに臨時の事務所として使用することができ、従来の仮設ハウスのような組立設置作業や解体撤去作業が不要となる。
【００２３】
また、建設現場やイベント会場等に、本考案の自動車１を所定の場所に移動させ、作業等部５の空間５ａを、スタッフ等の更衣室、休憩場所として使用できる。空間５ａ内に、照明具２０や、エアコン２１などの電気機器が設けられており、快適に利用することができる。
【００２４】
車体本体部２と作業等部５を、一体に形成したことにより、自動車１の移動の際に、作業等部５の空間５ａ内の振動等を低く抑え、内部での作業等を安定して行うことができる。
【００２５】
机１２や固定椅子１３等の移動が不要な物品は、床１５等にボルト１６等の固定具により固定されていることにより、自動車１の走行の際に移動せず、空間５ａ内を、直ちに使用することができる。
【符号の説明】
【００２６】
１  自動車
２  車体本体部
３  運転席
４  運転部
５  作業等部
５ａ  空間
【図１】
0003226191.tif 000003
【図２】
0003226191.tif 000004
【図３】
0003226191.tif 000005
【図４】
0003226191.tif 000006
【図５】
0003226191.tif 000007
【図６】
0003226191.tif 000008